(57)【要約】【課題】小さい負荷で編集済みコンテンツを再生できるようにする。【解決手段】ＤＶＤレコーダ１１は、ＤＶＤレコーダ１２からのコンテンツリストの提示要求に応じてコンテンツリストを提示する。そのコンテンツリストは、連続再生コンテンツを構成する各映像コンテンツの位置情報が含まれている。ＤＶＤレコーダ１２は、コンテンツリストによって提示される位置情報に基づいてコンテンツ要求を行い、提示されたコンテンツデータを用いて映像を再生する。【選択図】図１
2008005033.tif 000002
【特許請求の範囲】
【請求項１】
映像コンテンツの再生に用いられるコンテンツデータを提示するコンテンツデータ提示手段と、
連続的に再生される複数の映像コンテンツから生成される連続再生コンテンツを構成する前記各映像コンテンツの位置情報を示すコンテンツリストを、ネットワークを介して他の装置に提示するコンテンツリスト提示手段とを有することを特徴とする映像データ提示装置。
【請求項２】
前記コンテンツリスト提示手段は、前記連続再生コンテンツの位置情報を含めて前記コンテンツリストを提示することを特徴とする請求項１記載の映像データ提示装置。
【請求項３】
前記コンテンツリスト提示手段により提示された前記コンテンツリストに含まれる前記位置情報に基づく前記コンテンツデータの提示要求があったときは、前記コンテンツデータ提示手段が前記提示要求に応じた前記コンテンツデータを提示するように制御する提示制御手段を更に有することを特徴とする請求項１または２記載の映像データ提示装置。
【請求項４】
前記コンテンツリスト提示手段は、前記各映像コンテンツの再生順序を示す順序情報を含めて前記コンテンツリストを提示することを特徴とする請求項１〜４のいずれか一項記載の映像データ提示装置。
【請求項５】
前記コンテンツリスト提示手段は、前記各映像コンテンツの再生時間を示す時間情報を含めて前記コンテンツリストを提示することを特徴とする請求項１〜５のいずれか一項記載の映像データ提示装置。
【請求項６】
映像を再生する映像再生手段と、
映像コンテンツの再生に用いられるコンテンツデータの提示を要求するコンテンツ要求を行うコンテンツ要求手段と、
連続的に再生される複数の映像コンテンツから生成される連続再生コンテンツを構成する前記各映像コンテンツの位置情報を示すコンテンツリストの提示要求を行なうコンテンツリスト提示要求手段を有し、
前記コンテンツ要求手段が前記コンテンツリスト提示要求手段による前記提示要求に応じて提示された前記コンテンツリストに含まれる前記位置情報に基づいて前記コンテンツ要求を行い、該コンテンツ要求により取得された前記コンテンツデータを用いて、前記映像再生手段が前記映像を再生するように制御する再生制御手段とを有することを特徴とする映像再生装置。
【請求項７】
前記再生制御手段は、前記コンテンツリストに含まれる前記映像コンテンツの再生順序を示す順序情報に基づいて前記映像再生手段が前記映像を再生するように制御することを特徴とする請求項６記載の映像再生装置。
【発明の詳細な説明】
【技術分野】
【０００１】
本発明は、映像コンテンツの再生に用いられるコンテンツデータの提示機能を備えた映像データ提示装置および提示されたコンテンツデータを用いて映像を再生する映像再生装置に関する。
【背景技術】
【０００２】
近年、ホームネットワークが構築されるようになってきている。ホームネットワークは、Ｅｔｈｅｒｎｅｔ（登録商標）や無線ＬＡＮ（Ｌｏｃａｌ  Ａｒｅａ  Ｎｅｔｗｏｒｋ）等のネットワークを介して家庭内のテレビや、ＨＤＤレコーダ（ＨＤＤ：Ｈａｒｄ  Ｄｉｓｋ  Ｄｒｉｖｅを内蔵した映像記録装置）、ＤＶＤレコーダ(ＤＶＤ:ｄｉｇｉｔａｌ  ｖｅｒｓａｔｉｌｅ  ｄｉｓｋに対するデジタルデータの記録機能を備えた映像記録装置)といった映像と音声の再生または記録機能を備えた装置を例えばＵＰｎＰ（Ｕｎｉｖｅｒｓａｌ  Ｐｌｕｇ  ａｎｄ  Ｐｌａｙ）等の技術仕様にしたがい相互に接続したものである。ホームネットワークでは、例えばＨＤＤレコーダのＨＤＤに録画した映像コンテンツをネットワークで接続されたテレビで再生する、またはＨＤＤに録画した映像コンテンツを別のＨＤＤレコーダのＨＤＤにネットワーク経由で複製する（ダビングする）、といった操作ができるようになっている。
【０００３】
ところで、ホームネットワークには、複数の映像記録装置が接続されることが前提となっているため、各映像記録装置で保存された映像コンテンツを編集する編集機能が映像記録装置に備えられていることがある。従来、編集された映像コンテンツの再生に関して、例えば、特許文献１には、クライアントが各種コンテンツ情報を含む番組ファイルに基づきサーバから必要なコンテンツを読み出し再生するようにして、性質の異なる複数種類のコンテンツが混在した番組を再生できるようにすることが開示されている。
【特許文献１】特開２００２−１６５１９９公報
【発明の開示】
【発明が解決しようとする課題】
【０００４】
ところで、映像記録装置が編集機能を有する場合、例えば複数の映像コンテンツを編集して連続的に再生される連続再生コンテンツ（編集コンテンツともいう）を作成したときは、できあがった映像コンテンツ（編集コンテンツともいう）内に各映像コンテンツのつなぎ目（編集点）が形成される。
【０００５】
しかし、編集コンテンツを構成する各つなぎ目間の映像コンテンツ同士では、映像や音声を再生する際の条件となるプロパティ（例えば、符号化方式、音声コーデック、解像度など）が異なっている場合があるため、編集コンテンツを再生しようとすると、音声が途切れたり、画面表示がおかしくなるおそれがあった。これを回避するには、各つなぎ目間の映像コンテンツを再生する際にそれぞれのプロパティをチェックしながらそれぞれに適合した再生を行えばよいが、それでは、プロパティを常時チェックしなければならず、それによって再生処理に余計な負荷がかかり、映像再生装置の処理負担が大きくなってしまうこととなる。
【０００６】
そこで、本発明は上記課題を解決するためになされたもので、映像コンテンツの再生に用いられるコンテンツデータの提示機能を備えた映像データ提示装置および提示されたコンテンツデータを用いて映像を再生する映像再生装置において、小さい負荷で編集コンテンツを再生できるようにすることを目的とする。
【課題を解決するための手段】
【０００７】
上記課題を解決するため、本発明は、映像コンテンツの再生に用いられるコンテンツデータを提示するコンテンツデータ提示手段と、連続的に再生される複数の映像コンテンツから生成される連続再生コンテンツを構成する各映像コンテンツの位置情報を示すコンテンツリストを、ネットワークを介して他の装置に提示するコンテンツリスト提示手段とを有する映像データ提示装置を特徴とする。
【０００８】
また、本発明は、映像を再生する映像再生手段と、映像コンテンツの再生に用いられるコンテンツデータの提示を要求するコンテンツ要求を行うコンテンツ要求手段と、連続的に再生される複数の映像コンテンツから生成される連続再生コンテンツを構成する各映像コンテンツの位置情報を示すコンテンツリストの提示要求を行なうコンテンツリスト提示要求手段を有し、コンテンツ要求手段がコンテンツリスト提示要求手段による提示要求に応じて提示されたコンテンツリストに含まれる位置情報に基づいてコンテンツ要求を行い、そのコンテンツ要求により取得されたコンテンツデータを用いて、映像再生手段が映像を再生するように制御する再生制御手段とを有する映像再生装置を提供する。
【発明の効果】
【０００９】
以上詳述したように、本発明によれば、映像コンテンツの再生に用いられるコンテンツデータの提示機能を備えた映像データ提示装置および提示されたコンテンツデータを用いて映像を再生する映像再生装置において、小さい負荷で編集コンテンツを再生できるようにすることができる。
【発明を実施するための最良の形態】
【００１０】
以下、本発明の実施の形態について説明する。なお、同一要素には同一符号を用い、重複する説明は省略する。
【００１１】
図１は、本発明の実施の形態に係る映像データ提示装置としてのＤＶＤレコーダ１１と、映像再生装置としてＤＶＤレコーダ１２およびネットワークプレーヤ１３とを備えたホームネットワーク１の構成を示すブロック図である。ホームネットワーク１はＥｔｈｅｒｎｅｔ（登録商標）や無線ＬＡＮなどのネットワーク２を有し、映像データの伝送に必要な帯域が利用可能な技術を用いて構成されている。ネットワーク２にはＤＶＤレコーダ１１，１２、ネットワークプレーヤ１３が接続されている。
【００１２】
本実施の形態では、ＤＶＤレコーダ１１，１２、ネットワークプレーヤ１３との間でのネットワーク配信を想定している。このネットワーク配信では、映像再生装置としてのＤＶＤレコーダ１２またはネットワークプレーヤ１３からの要求に応じ、映像コンテンツを再生するためのコンテンツデータがＤＶＤレコーダ１１からネットワーク２を通じてＤＶＤレコーダ１２およびネットワークプレーヤ１３のそれぞれに送信されることによって提示される。
【００１３】
また、本実施の形態では、ＤＶＤレコーダ１１，１２、ネットワークプレーヤ１３はそれぞれＵＰｎＰにより通信を行う。ＵＰｎＰでは、各装置はＸＭＬ（Ｅｘｔｅｎｉｂｌｅ  Ｍａｒｋｕｐ  Ｌａｎｇｕａｇｅ）で記載されたコマンドの送受信を行う。また、ネットワーク２を通じてコンテンツデータ（および後述するコンテンツリスト５０）の提示を行なう場合、ＤＶＤレコーダ１１は、ＣＤＳ（Ｃｏｔｅｎｔｓ  Ｄｉｒｅｃｔｒｙ  Ｓｅｒｖｉｃｅ）として、ＸＭＬ（Ｅｘｔｅｎｉｂｌｅ  Ｍａｒｋｕｐ  Ｌａｎｇｕａｇｅ）形式でデータの提示を行なう。
【００１４】
ＤＶＤレコーダ１１，１２は、詳しくは後述するが、いずれもＨＤＤとＤＶＤドライブを内蔵しており、放送波を受信して、ＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）−２形式でＨＤＤまたは光ディスクＤ（例えば、ＤＶＤ−ＲＡＭやＤＶＤ−Ｒ等）にデジタルデータを記録して録画および録音を行い、また、記録したＭＰＥＧ−２形式のデジタルデータを再生し、映像を再生する映像記録再生装置である。
【００１５】
ＤＶＤレコーダ１２、ネットワークプレーヤ１３には映像出力を表示するモニタとしてのテレビ１４、１５がそれぞれ接続されている。テレビ１４、１５は、ＤＶＤレコーダ１２、ネットワークプレーヤ１３による再生映像や操作画面を表示することができる。テレビ１４は放送波を受信して、映像コンテンツを視聴することができるとともに、ＤＶＤレコーダ１２がＨＤＤや光ディスクから再生した映像データおよび音声データを取得して映像および音声を再生する機能を有している。
【００１６】
ここで、図６は、ＤＶＤレコーダ１１の内部構成を示すブロック図である（図示はしないが、ＤＶＤレコーダ１２の内部構成もＤＶＤレコーダ１１の内部構成と同様であり、ＤＶＤレコーダ１２はＤＶＤレコーダ１１と同様の機能を有している）。ＴＶチューナ２１には図示されていないアンテナが受け取った放送波の信号が入力されている。ＴＶチューナ２１は入力される信号について復調等を行ってアナログ映像信号を出力する。このアナログ映像信号は、ＡＤＣ(Ａｎａｌｏｇ  Ｔｏ  Ｄｉｇｉｔａｌ  Ｃｏｎｖｅｒｔｅｒ)２２によって例えばサンプリング周波数１３．５ＭＨｚ、量子化ビット数８ビットで量子化される。同様にアナログ音声信号についてもＡＤＣ２２によって、例えばサンプリング周波数４８ｋＨｚ、量子化ビット数１６ビットで量子化される。
【００１７】
ＡＤＣ２２から出力されたデジタル映像信号とデジタル音声信号は、エンコーダ２３に入力される。エンコーダ２３は、入力されたデジタル映像信号をＭＰＥＧ−２規格に基づいて圧縮し、圧縮されたデジタル映像信号に変換して出力する。デジタル音声信号についても、例えばＡＣ（Ａｕｄｉｏ  Ｃｏｍｐｒｅｓｓｉｏｎ）−３規格に基づいて圧縮し、圧縮したデジタル音声信号に変換して出力する。エンコーダ２３では、圧縮したデジタル映像信号とデジタル音声信号とを記録に適したフォーマットとなるよう信号処理を行ってデータプロセッサ２４に出力する。エンコーダ２３でエンコードされた情報やコントローラ３２で作成された管理情報は、データプロセッサ２４を介して、後述するＨＤＤ２５や、ＤＶＤドライブ２６に挿入されているＤＶＤ−ＲＡＭ等の光ディスクＤに記録される。ＨＤＤ２５、ＤＶＤドライブ２６は映像を記録する映像記録手段としての機能を有している。
【００１８】
また、ＨＤＤ２５や、ＤＶＤドライブ２６に挿入された光ディスクＤに記録された信号は、データプロセッサ２４を介してデコーダ２７に出力される。デコーダ２７では入力された信号から映像信号と音声信号とを分離して、それぞれをデコードする機能を有している。デコーダ２７から出力された映像信号はビデオミキサ２８に入力される。ビデオミキサ２８では、フレームメモリ２９をバッファとして使用しながら、入力された映像信号とテキストデータや画像データとの合成が行われる。また、ビデオミキサ２８の出力は、ＤＡＣ３０（Ｄｉｇｉｔａｌ  Ｔｏ  Ａｎａｌｏｇ  Ｃｏｎｖｅｒｔｅｒ）により、アナログ信号に変換された後に、外部に出力される。デコーダ２７から出力された音声信号についても、同様にＤＡＣ３１でアナログ信号に変換された後に外部に出力される。以上のＨＤＤ２５〜ＤＡＣ３１によって、映像を再生する映像再生手段が構成されている。
【００１９】
コントローラ３２は、ＭＰＵ（Ｍｉｃｒｏ  Ｐｒｏｃｅｓｓｉｎｇ  Ｕｎｉｔ）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。コントローラ３２は、ＲＯＭに記憶されている制御プログラムに従い上述の各モジュールを制御して、録画や再生などのセット動作を統括する。また、コントローラ３２は、ユーザの操作する図示しないリモコンの操作情報を図示しない赤外線受光部を介して受信し、その受信した情報に従って動作を制御する。
【００２０】
さらに、コントローラ３２は、ネットワーク２に接続されている他の装置（例えば、ＤＶＤレコーダ１２）との通信を行うネットワークインタフェース（ネットワークＩ／Ｆ）３３の動作を制御する。このとき前述の通り、コントローラ３２はＵＰｎＰによりネットワークインタフェース３３を介した通信を行う。またコントローラ３２は、ＨＤＤ２５や光ディスクＤ内に記録された映像コンテンツや編集コンテンツを、ＣＤＳとしてＸＭＬ形式で他の機器からの要求に応じて提示する機能も有する。なお、編集コンテンツの提示方法については後に詳述する。
【００２１】
そして、上記ＤＶＤレコーダ１１は、映像コンテンツの編集機能を有している。この編集機能は、例えば、ユーザによるリモコン操作により起動される。ユーザは、ＤＶＤレコーダ１１に接続されている図示しない映像表示装置としてのテレビに表示される操作画面にしたがいリモコン操作を行うと、そのリモコン操作に応じてコントローラ３２が作動し、複数の映像コンテンツが例えば１つの映像コンテンツに編集される。
【００２２】
このとき、例えば、図２に示すように、３つの異なる映像コンテンツ４０，４１，４２があった場合において、ＤＶＤレコーダ１１は、上記の編集機能により、これらを１つにまとめ、連続的に再生される編集コンテンツ４４Ａとすることができる（この編集機能が実行されることによって、各映像コンテンツ４０，４１，４２の再生に用いられるコンテンツデータから、編集コンテンツ４４Ａの再生に用いられるコンテンツデータが生成されている）。
【００２３】
なお、本実施形態の編集コンテンツ４４Ａは、ＤＶＤ等で利用されているＩＦＯファイルのように、映像コンテンツの実データを伴わず、映像コンテンツ４４Ｂ、４４Ｃ、４４Ｄの其々の映像コンテンツの再生位置のアドレスを示すものとする。さらに、映像コンテンツ４４Ｂ乃至４４Ｄは、それぞれ１つの独立した映像コンテンツであっても良いし、１つの映像コンテンツの一部を構成するものであっても良い。
【００２４】
できあがった編集コンテンツ４４Ａには、図２に示すように、２つの編集点４４ａ，４４ｂが形成されている。２つの編集点４４ａ，４４ｂで区切られた個別の映像コンテンツ（個別コンテンツ）４４Ｂ，４４Ｃ，４４Ｄは編集コンテンツ４４Ａのそれぞれ一部分を構成していて、以下の説明では、これらを「ｃｅｌｌ」という。
【００２５】
そして、編集コンテンツ４４Ａでは、ｃｅｌｌ毎に、個別コンテンツ４４Ｂ，４４Ｃ，４４Ｄを再生する際の条件となるプロパティ(例えば、音声コーデック、映像の符号化方式、解像度等)が異なっている可能性があるが、通常、再生処理中にどこが編集点なのかを認識することはできない。そのため、ＤＶＤレコーダ１２やネットワークプレーヤ１３が編集コンテンツ４４Ａの再生に用いられるコンテンツデータをそのまま用いて再生処理を行うと、デコーダ２７によるデコード処理等がうまくいかず、編集点４４ａ，４４ｂに至った時点で音声が途切れたり画面表示がおかしくなったりすることがある。
【００２６】
このような事態を回避するには、ＤＶＤレコーダ１２，ネットワークプレーヤ１３が常にｃｅｌｌ毎のプロパティをチェックしながら再生処理を行うことも考えられるが、これでは、ＤＶＤレコーダ１２，ネットワークプレーヤ１３における再生処理に多大な負担を要してしまう。
【００２７】
本実施の形態では、このような事態を回避するため、以下のようにしている。以下、本実施の形態の特徴とする事項について、ＤＶＤレコーダ１１と、ＤＶＤレコーダ１２とにおける映像コンテンツ配信処理を例にとって説明する。
【００２８】
ＤＶＤレコーダ１１と、ＤＶＤレコーダ１２とは、図３に示すシーケンスチャートに沿って映像コンテンツ配信処理を行っている。この映像コンテンツ配信処理では、ＤＶＤレコーダ１２からＤＶＤレコーダ１１に対して、映像コンテンツの再生に用いられるコンテンツデータの提示（送信）を要求するコンテンツ要求が行なわれ、そのコンテンツ要求に応じて、ＤＶＤレコーダ１１がＤＶＤレコーダ１２にコンテンツデータを提示（送信）する。したがって、以下の説明では、ＤＶＤレコーダ１１が本発明における映像データ提示装置として機能し、ＤＶＤレコーダ１２が本発明における映像再生装置として機能しているが、ＤＶＤレコーダ１１は映像再生装置としても機能するし、ＤＶＤレコーダ１２は映像データ提示装置としても機能する。
【００２９】
そして、まず、ＤＶＤレコーダ１２がＤＶＤレコーダ１１に対して、コンテンツリスト（コンテンツ一覧）の提示要求ｒ１を行う。この場合、ＤＶＤレコーダ１２のコントローラの指示により、ネットワークＩ／Ｆがコンテンツリスト提示要求手段として作動している。
【００３０】
次に、ＤＶＤレコーダ１１が提示要求ｒ１に従い、ＣＤＳとしてコンテンツリスト５０の提示ｒ２を行う。この場合、ＤＶＤレコーダ１１のコントローラ３２の指示により、ネットワークＩ／Ｆ３３がコンテンツリスト提示手段として作動している。
【００３１】
ここで提示されるコンテンツリスト５０はＸＭＬ形式で記述されている。例えば、図５に示すように、コンテンツリスト５０には、各映像コンテンツの情報の要素として、タイトル名、録画日時、アクセスしてコンテンツデータを取得するための位置情報としてのＵＲＩ（Ｕｎｉｆｏｒｍ  Ｒｅｓｏｕｒｃｅ  Ｉｄｅｎｔｉｆｉｅｒ）などを有している。このＵＲＩは、編集コンテンツ４４Ａの再生に用いられるコンテンツデータ、個別コンテンツ４４Ａ，４４Ｂ，４４Ｃの再生に用いられるコンテンツデータを取得するためにコンテンツリスト５０に含められている。
【００３２】
なお、図５では、コンテンツリスト５０として、＜ｉｔｅｍ・・・＞で始まるラインから、＜／ｉｔｅｍ＞で終わるラインまでの１つのブロックが示されているが、提示されるコンテンツリスト５０では、ＨＤＤ２５や光ディスクＤに記憶されたコンテンツ等に関する、図５に示された以外の複数のｉｔｅｍ要素も提示されるようになっている。
【００３３】
ＤＶＤレコーダ１２はコンテンツリスト５０に含まれているＵＲＩにアクセスすることによって、コンテンツデータを取得し、その取得したコンテンツデータを用いて映像コンテンツを再生することができる。なお、ここで、ＤＶＤレコーダ１１は、１つの編集コンテンツ４４Ａについて、コーデックやビットレートといったプロパティが異なっていることがあり得るので、編集点が明示的にわかるように、１つの編集コンテンツ４４Ａのコンテンツリスト５０を提示することによって、複数のＵＲＩを提供している。
【００３４】
そして、ＤＶＤレコーダ１１は、コンテンツリスト５０を提示するにあたって、図５に示すように、編集コンテンツ４４Ａに対して、コンテンツリスト５０がコンテンツ全体のＵＲＩ情報４Ａと、各ｃｅｌｌごとのＵＲＩ情報４Ｂ，４Ｃ，４Ｄをそれぞれｒｅｓ要素の下にテキスト情報として記載するようにしている。
【００３５】
また、これらのＵＲＩ情報４Ａ、４Ｂ，４Ｃ，４Ｄには、ｒｅｓ要素の属性として、映像コンテンツの再生順序を示す順序パラメータ（本発明における順序情報に相当し、図５における“ｓｅｑｕｅｎｃｅ＝０”など）がｓｅｑｕｅｎｃｅ属性として、映像コンテンツの再生時間を示す時間パラメータ（本発明における時間情報で、ｄｕｒａｔｉｏｎ＝“・・・・”）がｄｕｒａｔｉｏｎ属性として追加されている。以下の説明では、この順序パラメータを“ｓｅｑｕｅｎｃｅ”という(図５参照)。
【００３６】
この他、通信プロトコルに係る情報はｐｒｏｔｏｃｏｌＩｎｆｏ属性に、それぞれの編集コンテンツに係るＩＦＯファイルの情報はｄｌｎａ：ｉｆｏＦｉｌｅＵＲＩ属性に記載される。ＤＶＤレコーダ１２は、ｄｌｎａ：ｉｆｏＦｉｌｅＵＲＩ属性に記載されたＵＲＩにアクセスすることにより取得できるＩＦＯファイルを参照しながら再生を行うこととなる。
【００３７】
前述した“ｓｅｑｕｅｎｃｅ”は、本実施形態では編集コンテンツ４４Ａの全体では“０”とされ、各ｃｅｌｌでは、再生順に“１”、“２”、“３”・・・の値をとるものとしている。なお、図５の５Ａ，５Ｂ，５Ｃ，５Ｄは、ＵＲＩ情報４Ａ，４Ｂ，４Ｃ，４Ｄの具体的な内容の一例を示している。
【００３８】
そして、ＤＶＤレコーダ１２は取得したコンテンツデータを用いて編集コンテンツ４４Ａを再生するときに、提示されたコンテンツリスト５０に含まれるＵＲＩ情報５Ａ，５Ｂ，５Ｃ，５Ｄを参照して、それらの中から、映像コンテンツの再生に使用可能なものを見つけ出す。このとき、ＤＶＤレコーダ１２は、自機が再生途中でプロパティをチェックし、途中でプロパティが変わっても再生可能ならば、“ｓｅｑｕｅｎｃｅ”が“０”のＵＲＩ情報５Ａに基づいて再生処理を実行する。
【００３９】
ただし、ＵＲＩ情報５Ａに基づいて再生処理を行うと、再生処理に負担がかかるとしてプロパティをチェックしないときは、最初に“ｓｅｑｕｅｎｃｅ”が“１”のＵＲＩ情報５Ｂに基づいて再生処理を実行する。このとき、ＤＶＤレコーダ１２は、ＵＲＩ情報５Ｂに含まれるＵＲＩを指定してＤＶＤレコーダ１１にアクセスし、コンテンツデータの提示を要求するコンテンツ要求ｒ３を行い、そのコンテンツ要求ｒ３によってＤＶＤレコーダ１１から提示ｒ４されるコンテンツデータを取得し、その取得したコンテンツデータを用いて映像コンテンツの再生を行なう。そして、その映像コンテンツの再生が終了したら、次に、“ｓｅｑｕｅｎｃｅ”が“２”のＵＲＩ情報５Ｃに基づき、上記同様に再生処理を実行する。なお、これらの処理ではＤＶＤレコーダ１１のコントローラ３２が提示制御手段として作動し、ネットワークＩ／Ｆ３３がコンテンツデータ提示手段として作動している。また、ＤＶＤレコーダ１２のコントローラが再生制御手段として作動している。ネットワークＩ／Ｆがコンテンツ要求手段として作動している。
【００４０】
ＤＶＤレコーダ１２はこのようにして、図３に示すｒ３，ｒ４を繰り返し、“ｓｅｑｕｅｎｃｅ”の値の最後まで（上記の場合では、“ｓｅｑｕｅｎｃｅ”が“３”まで）再生処理が終了すると、編集コンテンツ４４Ａの再生処理が終了する。
【００４１】
以上のように、ＤＶＤレコーダ１１は、ＤＶＤレコーダ１２からの提示要求ｒ１に応じてコンテンツリスト５０を提示するが、そのコンテンツリスト５０には、編集コンテンツ４４ＡのＵＲＩ情報４Ａと、各映像コンテンツ４４Ｂ，４４Ｃ，４４ＤごとのＵＲＩ情報４Ｂ，４Ｃ，４Ｄとが含まれている。各ＵＲＩ情報４Ａ，４Ｂ，４Ｃ，４Ｄには、コンテンツデータの位置を示すＵＲＩが含まれている。
【００４２】
そのため、ＤＶＤレコーダ１２では、映像コンテンツを再生するときは、提示されたコンテンツリスト５０に基づき、自機の再生能力や負荷などに応じて再生しようとする映像コンテンツのＵＲＩを選ぶことができ、その選んだＵＲＩにしたがいコンテンツデータを取得して映像コンテンツを再生することができる。例えば、再生処理を行うＤＶＤプレーヤ１２が自装置でプロパティが変化する編集点を検出できるのであれば、５Ａのみを参照して当該編集コンテンツを再生すればよい。一方、ＤＶＤプレーヤ１２が自装置で編集点を検出するのが困難である場合には、５Ｂ，５Ｃ，５Ｄを参照しながら再生すれば、編集点でＵＲＩ情報が変わることとなる。
【００４３】
これにより、別のＵＲＩにアクセスするときにだけプロパティをチェックすればよく、プロパティを再生処理の実行中、常時チェックする必要がなくなるので、再生処理が余計な負荷がかからず、処理負担を大きく軽減することができる。また、時間パラメータも含まれているから、ＤＶＤレコーダ１２は、映像コンテンツの再生前に再生の要する時間をチェックすることもできる。
【００４４】
そして、ＤＶＤレコーダ１１は、ＤＶＤレコーダ１２からＵＲＩ情報４Ａ、４Ｂ，４Ｃ，４Ｄに基づきＵＲＩを指定したコンテンツデータの提示要求があったときは、その提示要求に応じたコンテンツデータを提示する。そのため、ＤＶＤレコーダ１２は、編集コンテンツ４４Ａについてｃｅｌｌ毎に再生することができるし、ｃｅｌｌをスキップして再生することもできる。
【００４５】
さらに、コンテンツリスト５０には、映像コンテンツの再生順序を示す順序パラメータが含まれているから、ＤＶＤレコーダ１２は、その順序パラメータにしたがって映像コンテンツの再生順序を決めることもできる。
【００４６】
ＤＶＤレコーダ１１、１２は、映像を記録する手段として、ＤＶＤドライブと、ＨＤＤを内蔵するがＨＤＤを内蔵しない装置でもよい。また、ＤＶＤレコーダ１１、１２の代わりにＨＤＤを内蔵するがＤＶＤドライブを内蔵しないＨＤＤレコーダを用いてもよい。ＤＶＤレコーダ１１の代わりにパーソナルコンピュータを使用し、そのパーソナルコンピュータが、提示要求ｒ１に応じてコンテンツリストを提示し、コンテンツ要求があったときは、該当するコンテンツデータをＤＶＤレコーダ１２に提示するようにしてもよい。
【００４７】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００４８】
【図１】本発明の実施の形態に係るＤＶＤレコーダ等を備えたホームネットワークの構成を示すブロック図である。
【図２】複数の個別コンテンツおよびそれらを編集して得られる編集コンテンツを示す図である。
【図３】ホームネットワークを構成するＤＶＤレコーダによって行なわれる映像コンテンツ配信処理のシーケンスを示すシーケンスチャートである。
【図４】編集コンテンツおよび映像コンテンツと、それぞれのＵＲＩを示す図である。
【図５】コンテンツリストの一例を示す図である。
【図６】本発明の実施の形態に係るＤＶＤレコーダの内部構成を示すブロック図である。
【符号の説明】
【００４９】
２…ホームネットワーク、１１，１２…ＤＶＤレコーダ
１３…ネットワークプレーヤ、１４，１５…テレビ
２５…ＨＤＤ、２５…ＤＶＤドライブ
３２…コントローラ、３３…ネットワークＩ／Ｆ
４４Ａ…編集コンテンツ、４４Ｂ，４４Ｃ，４４Ｄ…映像コンテンツ
５０…コンテンツリスト
【図１】
2008005033.tif 000003
【図２】
2008005033.tif 000004
【図３】
2008005033.tif 000005
【図４】
2008005033.tif 000006
【図５】
2008005033.tif 000007
【図６】
2008005033.tif 000008